(57)【要約】【課題】本発明は、遠心分離機に関する。【解決手段】本発明は、内部に空間が形成された円筒状に形成される第１ガイド部と、上記第１ガイド部の半径より小さい半径を有し、上記第１ガイド部の内側に形成される第２〜第ｎガイド部（ただし、ｎ≧３）と、を含む、遠心分離機に関する。【選択図】図１
2015073984.tif 000002
【特許請求の範囲】
【請求項１】
内部に空間が形成された円筒状に形成される第１ガイド部と、
前記第１ガイド部の半径より小さい半径を有し、前記第１ガイド部の内側に形成される第２〜第ｎガイド部（ただし、ｎ≧３）と、を含む、遠心分離機。
【請求項２】
前記第ｎガイド部の半径をＲｎとしたとき、Ｒ１−Ｒ２＞Ｒｎ−１−Ｒｎ（ただし、ｎ≧３）を満たす、請求項１に記載の遠心分離機。
【請求項３】
前記第ｎガイド部の半径をＲｎとしたとき、Ｒｎ−２−Ｒｎ−１＞Ｒｎ−１−Ｒｎ（ただし、ｎ≧３）を満たす、請求項２に記載の遠心分離機。
【請求項４】
前記第２〜第ｎガイド部には、少なくとも一つ以上の穴が形成されている、請求項１から３のいずれか１項に記載の遠心分離機。
【請求項５】
前記第２〜第ｎガイド部に形成される穴は、隣接するガイド部に形成された穴とずれて形成される、請求項４に記載の遠心分離機。
【請求項６】
前記第１〜第ｎガイド部を回転させる駆動部材をさらに含む、請求項１から５のいずれか１項に記載の遠心分離機。
【請求項７】
前記第１〜第ｎガイド部の円周は、互いに平行である、請求項１から６のいずれか１項に記載の遠心分離機。
【請求項８】
前記第１〜第ｎガイド部の間に形成される隔壁をさらに含む、請求項１から７のいずれか１項に記載の遠心分離機。
【請求項９】
前記隔壁には、少なくとも一つ以上の穴が形成されている、請求項８に記載の遠心分離機。
【請求項１０】
内部に空間が形成された円筒状に形成される外壁と、
前記外壁の内側に形成される第１〜第ｍ遠心分離領域（ただし、ｍ≧２）を分離する複数の分離壁と、を含む、遠心分離機。
【請求項１１】
前記第１遠心分離領域の幅が前記第ｍ遠心分離領域（ただし、ｍ≧２）の幅より大きくなるように、前記分離壁が形成される、請求項１０に記載の遠心分離機。
【請求項１２】
前記第ｍ−１遠心分離領域（ただし、ｍ≧２）の幅が前記第ｍ遠心分離領域（ただし、ｍ≧２）の幅より大きくなるように、前記分離壁が形成される、請求項１１に記載の遠心分離機。
【請求項１３】
前記分離壁に形成される少なくとも一つの穴をさらに含む、請求項１０から１２のいずれか１項に記載の遠心分離機。
【請求項１４】
前記穴は、互いに隣接する分離壁に形成された穴とずれて形成される、請求項１３に記載の遠心分離機。
【請求項１５】
前記外壁及び分離壁を回転させる駆動部材をさらに含む、請求項１０から１４のいずれか１項に記載の遠心分離機。
【請求項１６】
前記外壁及び前記分離壁の円周は、互いに平行である、請求項１０から１５のいずれか１項に記載の遠心分離機。
【請求項１７】
前記第１〜第ｍ遠心分離領域は、各領域を分離する隔壁を少なくとも一つ以上含む、請求項１０から１６のいずれか１項に記載の遠心分離機。
【請求項１８】
前記隔壁には、少なくとも一つ以上の穴が形成されている、請求項１７に記載の遠心分離機。
【発明の詳細な説明】
【技術分野】
【０００１】
本発明は、分離効率が向上した遠心分離機に関する。
【背景技術】
【０００２】
各種電子部品に広く用いられる積層セラミック電子部品は、一定の大きさを有する微粒子を用いて製造されることが要求される。
【０００３】
特に、積層セラミック電子部品の性能は、より微細な粒子を出発物質として用いることでさらに向上することができる。
【０００４】
しかし、微粒子の場合、粒子同士が互いに凝集しようとする力が強いため、凝集体又は粗粒子の生成を根本的に防止することが困難である。
【０００５】
このような凝集体又は粗粒子が生成されるため、積層セラミック電子部品の原料として用いられる粒子を均一に分散しても、優れた性能を有するセラミック電子部品を製造することは困難である。
【０００６】
したがって、一定の大きさを有する微粒子を得るためには、分散前又は分散後に凝集体又は生成された粗粒子を除去することが好ましい。
【０００７】
通常、粗粒子を除去するために、遠心分離機が用いられている。
【０００８】
しかし、通常用いられる遠心分離機は、投入されるスラリーの量が異なる場合、同一の回転速度で遠心分離を行っても異なる結果が出るという問題点がある。
【０００９】
また、投入するスラリーの量が多くなる場合、遠心分離にかかる時間が急激に増加し、遠心分離効率が減少する。
【００１０】
積層セラミック電子部品の原料として用いられる粒子の大きさが均一でない場合、積層セラミック電子部品の製造のために作製されるグリーンシートの表面粗さが増加する。
【００１１】
特に、上記グリーンシートの表面粗さが増加する場合、積層セラミック電子部品内において短絡が発生する確率が急激に高まり、積層セラミック電子部品の信頼性が低下する。
【００１２】
下記の先行技術文献の特許文献１に記載の発明は、遠心分離集塵装置に関するものである。
【００１３】
特に、上記特許文献１の発明に記載の隔壁は、本発明の一実施例による遠心分離機に形成される第２〜第ｎガイド部とは、その形状及び位置が相違する。
【先行技術文献】
【特許文献】
【００１４】
【特許文献１】韓国公開特許第２０１２−００６２０３２号公報
【発明の概要】
【発明が解決しようとする課題】
【００１５】
本発明は、スラリーの量に関係なく一定の遠心分離効率を示す遠心分離機を提供することを目的とする。
【課題を解決するための手段】
【００１６】
本発明の一実施例による遠心分離機は、内部に空間が形成された円筒状に形成される第１ガイド部と、上記第１ガイド部の半径より小さい半径を有し、上記第１ガイド部の内側に形成される第２〜第ｎガイド部（ただし、ｎ≧３）と、を含むことができる。
【００１７】
本発明の一実施例において、上記第ｎガイド部の半径をＲｎとしたとき、Ｒ１−Ｒ２＞Ｒｎ−１−Ｒｎ（ただし、ｎ≧３）を満たすことができる。
【００１８】
本発明の一実施例において、上記第ｎガイド部の半径をＲｎとしたとき、Ｒｎ−２−Ｒｎ−１＞Ｒｎ−１−Ｒｎ（ただし、ｎ≧３）を満たすことができる。
【００１９】
本発明の一実施例において、上記第２〜第ｎガイド部には、少なくとも一つ以上の穴が形成されていることができる。
【００２０】
本発明の一実施例において、上記第２〜第ｎガイド部に形成される穴は、隣接するガイド部に形成された穴とずれて形成されることができる。
【００２１】
本発明の一実施例において、上記第１〜第ｎガイド部を回転させる駆動部材をさらに含むことができる。
【００２２】
本発明の一実施例において、上記第１〜第ｎガイド部の円周は、互いに平行であることができる。
【００２３】
本発明の一実施例において、上記第１〜第ｎガイド部の間に形成される隔壁をさらに含むことができる。
【００２４】
本発明の一実施例において、上記隔壁には、少なくとも一つ以上の穴が形成されていることができる。
【００２５】
本発明の他の実施例による遠心分離機は、内部に空間が形成された円筒状に形成される外壁と、上記外壁の内側に形成される第１〜第ｍ遠心分離領域（ただし、ｍ≧２）を分離する複数の分離壁と、を含むことができる。
【００２６】
本発明の他の実施例において、上記第１遠心分離領域の幅が上記第ｍ遠心分離領域（ただし、ｍ≧２）の幅より大きくなるように、上記分離壁が形成されることができる。
【００２７】
本発明の他の実施例において、上記第ｍ−１遠心分離領域（ただし、ｍ≧２）の幅が上記第ｍ遠心分離領域（ただし、ｍ≧２）の幅より大きくなるように、上記分離壁が形成されることができる。
【００２８】
本発明の他の実施例において、上記分離壁に形成される少なくとも一つの穴をさらに含むことができる。
【００２９】
本発明の他の実施例において、上記穴は、互いに隣接する分離壁に形成された穴とずれて形成されることができる。
【００３０】
本発明の他の実施例において、上記外壁及び分離壁を回転させる駆動部材をさらに含むことができる。
【００３１】
本発明の他の実施例において、上記外壁及び上記分離壁の円周は、互いに平行であることができる。
【００３２】
本発明の他の実施例において、上記第１〜第ｍ遠心分離領域は、各領域を分離する隔壁を少なくとも一つ以上含むことができる。
【００３３】
本発明の他の実施例において、上記隔壁には、少なくとも一つ以上の穴が形成されていることができる。
【発明の効果】
【００３４】
本発明の一実施例による遠心分離機は、内部に空間が形成された円筒状に形成される第１ガイド部と、上記第１ガイド部の半径より小さい半径を有し、上記第１ガイド部の内側に形成される第２〜第ｎガイド部（ただし、ｎ≧３）と、を含むことにより、第２〜第ｎガイド部の内側で行われる遠心分離の際に、第２〜第ｎガイド部の外側で行われる遠心分離と類似の遠心力を受けるようにすることができる。
【００３５】
すなわち、遠心分離されるスラリーの位置による遠心力を一定にすることで、スラリーの量が異なる場合にも一定の遠心分離が行われるようにすることができる。
【００３６】
さらに、スラリーの量が増加する場合にも遠心力が均一に加えられるため、遠心分離にかかる時間を減少させることができる。
【図面の簡単な説明】
【００３７】
【図１】本発明の一実施例による遠心分離機の分解斜視図を概略的に示すものである。
【図２】本発明の一実施例による遠心分離機の斜視図を概略的に示すものである。
【図３】図２のＡ‐Ａ'に沿う断面図を概略的に示すものである。
【図４】本発明の一実施例による遠心分離機の動作後にスラリーが遠心分離された状態を示す断面図である。
【図５】本発明の一実施例による遠心分離機の平面図を概略的に示すものである。
【図６】本発明の他の実施例による遠心分離機の分解斜視図を概略的に示すものである。
【図７】本発明の他の実施例による遠心分離機の斜視図を概略的に示すものである。
【図８】図７のＢ‐Ｂ'に沿う断面図を概略的に示すものである。
【図９】本発明のさらに他の実施例による遠心分離機の平面図を概略的に示すものである。
【発明を実施するための形態】
【００３８】
以下では、添付の図面を参照して本発明の好ましい実施形態について説明する。しかし、本発明の実施形態は様々な他の形態に変形されることができ、本発明の範囲は以下で説明する実施形態に限定されない。また本発明の実施形態は、当該技術分野で平均的な知識を有する者に本発明をより完全に説明するために提供されるものである。したがって、図面における要素の形状及び大きさなどはより明確な説明のために誇張されることがある。
【００３９】
図１は本発明の一実施例による遠心分離機１００の概略的な分解斜視図を示すものである。
【００４０】
図１を参照して、本発明の一実施例による遠心分離機１００の構造について説明すると、本発明の一実施例による遠心分離機１００には、最外側の部分に形成される第１ガイド部１０と、上記第１ガイド部１０の内側に形成される第２〜第ｎガイド部１１、１２、１３と、が形成されることができる。
【００４１】
上記ｎは、２より大きいか同一であってもよい。
【００４２】
上記第１ガイド部１０の底面は、円板のような閉じた面であってもよい。
【００４３】
均一な遠心力を加えるために、上記第１〜第ｎガイド部１０、１１、１２、１３の円周は、互いに平行に形成されることができる。
【００４４】
本発明の一実施例による遠心分離機は、下部に駆動部材３０をさらに含むことができる。
【００４５】
上記駆動部材３０は、モーターを含み、上記第１〜第ｎガイド部１０、１１、１２、１３が一方向に回転するように回転力を加えることができる。
【００４６】
上記第１〜第ｎガイド部１０、１１、１２、１３の上部には、遠心分離される物質の離脱を防止するための上部カバー２０が形成されることができる。
【００４７】
図２はカバー２０以外の図１に示された遠心分離機１００の概略的な斜視図を示すものであり、図３は図２のＡ‐Ａ'に沿う概略的な断面図を示すものである。
【００４８】
図１から図３では、上記第１ガイド部１０の内側に形成される第２〜第ｎガイド部においてｎが３の場合のみを示しているが、必要に応じて、形成されるガイド部の個数は増減することができる。
【００４９】
図２及び図３を参照すると、本発明の一実施例による遠心分離機１００は、第１〜第ｍ遠心分離領域１１０、１２０、１３０、１４０に区分されることができる。
【００５０】
上記ｍは、２より大きいか同一であってもよい。
【００５１】
すなわち、上記第１ガイド部１０が外壁として機能し、上記第２〜第ｎガイド部１１、１２、１３が複数の分離壁として機能することができる。
【００５２】
本発明の一実施例による遠心分離機は、遠心分離される粒子を含むスラリーが上記第１ガイド部１０の内側に充填されることができる。
【００５３】
スラリーに含まれる粒子は、ＢａＴｉＯ３であってもよく、これに制限されない。
【００５４】
遠心分離機１００は、回転力を利用してスラリー内に含まれる粒子を大きさに応じて分離する。
【００５５】
具体的に、遠心分離機１００で遠心分離されるスラリー内に含まれる粒子は、下記数式１により定義される遠心力を受ける。
【００５６】
【数１】
2015073984.tif 000003
【００５７】
上記式中、Ｆは、スラリー内に含まれる粒子の質量、Ｒは、遠心分離機の中心から粒子までの距離、ωは、角速度を意味する。
【００５８】
遠心分離機１００が動作して、スラリーが遠心分離機１００の外壁に完全に偏ったと仮定したとき、遠心分離機にスラリーの量が多い場合（＃１）とスラリーの量が少ない場合（＃２）とを比較すると、スラリーに加えられる遠心力に差が生じることが分かる。
【００５９】
具体的に、＃１の遠心分離機１００の中心からスラリーの重心までの距離（Ｒ＃１）が、＃２の遠心分離機１００の中心からスラリーの重心までの距離（Ｒ＃２）より近くなる。
【００６０】
すなわち、同一の角速度で＃１のスラリーに加えられる遠心力（Ｆ＃１）が、＃２のスラリーに加えられる遠心力（Ｆ＃２）より小さくなる。
【００６１】
そのため、通常、遠心分離機に投入されるスラリーの量が異なる場合、同一の角速度で遠心分離機が作動しても遠心分離される程度が異なる。
【００６２】
また、遠心分離機に投入されるスラリーの量が多い場合、スラリーに含まれた粒子の移動距離が長くなり、遠心分離にかかる時間が増加する。
【００６３】
図４は本発明の一実施例による遠心分離機１００においてスラリーに含まれた粒子が遠心分離されていることを示す断面図である。
【００６４】
上述した問題を解決するために、上記第２〜第ｎガイド部を形成するにおいて、上記第１〜第ｍ遠心分離領域１１０、１２０、１３０、１４０は、上記第１遠心分離領域１１０の幅Ｌ１を上記第ｍ遠心分離領域（ただし、ｍ≧２）の幅Ｌｎより大きくすることができる。
【００６５】
具体的には、上記第ｍ−１遠心分離領域（ただし、ｍ≧２）の幅が、上記第ｍ遠心分離領域（ただし、ｍ≧２）の幅より大きくなるように形成することができる。
【００６６】
図５を参照して、上記のように異なる幅を有することによる効果について説明する。
【００６７】
図５は本発明の一実施例による遠心分離機１００の平面図を概略的に示すものである。
【００６８】
図５は本発明の遠心分離機に、第１ガイド部１０、第２ガイド部１１、第３ガイド部１２及び第４ガイド部１３まで形成されていることを示すものである。
【００６９】
図５を参照すると、上記第１〜第４ガイド部１０、１１、１２、１３の半径は、それぞれＲ１、Ｒ２、Ｒ３、Ｒ４と定義することができる。
【００７０】
上述したように、スラリーＳに含まれる粒子に加えられる遠心力は、上記数式１により決定されることができる。
【００７１】
したがって、第１〜第４遠心分離領域１１０、１２０、１３０、１４０に充填されたスラリーに加えられる遠心力を調節するためには、上記第１〜第４ガイド部１０、１１、１２、１３の半径Ｒ１、Ｒ２、Ｒ３、Ｒ４を調節しなければならない。
【００７２】
具体的には、上記第１〜第４遠心分離領域１１０、１２０、１３０、１４０に充填されたスラリーＳが類似又は同一の遠心力を受けるようにするために、下記数式２を満たすように、上記第１〜第４ガイド部１０、１１、１２、１３の半径を調節することができる。
【００７３】
【数２】
2015073984.tif 000004
【００７４】
（Ｒｎ−２−Ｒｎ−１）／（Ｒｎ−１−Ｒｎ）をＴと仮定したとき、上記Ｔの値が０．７×（Ｒｎ−１／Ｒｎ）未満の場合又は１．３×（Ｒｎ−１／Ｒｎ−２）を超える場合には、上記第１〜第４遠心分離領域１１０、１２０、１３０、１４０に充填されたスラリーＳにそれぞれ相違する遠心力が加えられるため遠心分離される粒子の大きさが相違するようになる。
【００７５】
すなわち、上述したように、上記第１〜第ｎガイド部１０、１１、１２、１３の半径を調節して、上記第１遠心分離領域１１０の幅Ｌ１を上記第ｍ遠心分離領域（ただし、ｍ≧２）の幅Ｌｎより大きくすることで、スラリーＳの量に関係なく遠心分離が行われるようにすることができる。
【００７６】
下記の表１は、従来の遠心分離機と本発明の一実施例による遠心分離機１００のスラリーＳの量による、遠心分離された粒子の大きさを示すものである。
【００７７】
【表１】
2015073984.tif 000005
【００７８】
比較例１及び実施例１は、遠心分離機に投入されたスラリーの量が１００ｍｌの場合であり、比較例２及び実施例２は、遠心分離機に投入されたスラリーの量が１０００ｍｌの場合である。
【００７９】
比較例及び実施例は、両方とも同一の角速度と同一の時間で遠心分離を行った。
【００８０】
表１におけるＤ１０、Ｄ３０、Ｄ５０、Ｄ７０、Ｄ９０及びＤ９９は、遠心分離後の粒子の大きさ及び分布を正規分布で示したときに、該当するパーセントを意味する。
【００８１】
表１を参照すると、比較例の場合、スラリーの量が増加すると同一の時間における遠心分離効率が減少し、比較例１と比較例２の粒子の大きさに差が生じることが分かる。
【００８２】
しかし、本発明の一実施例による遠心分離機１００を用いて遠心分離した実施例１及び実施例２は、粒子の大きさの差が非常に小さいことが分かる。
【００８３】
換言すると、本発明の一実施例による遠心分離機１００は、第１〜第ｍ遠心分離領域１１０、１２０、１３０、１４０に分離されており、各領域に位置するスラリーに加えられる遠心力の大きさが類似又は同一であるため、スラリーの量が異なる場合にも遠心分離される粒子の大きさが一定である。
【００８４】
さらに、本発明の一実施例による遠心分離機１００は、第１〜第ｍ遠心分離領域１１０、１２０、１３０、１４０に分離されており、遠心分離の際に分離される粒子が移動する全体の距離が各領域の幅だけ減少して、遠心分離にかかる時間が減少する。
【００８５】
図６は本発明の他の実施例による遠心分離機２００の概略的な分解斜視図を示すものである。
【００８６】
本発明の他の実施例による遠心分離機は、上記第２〜第ｎガイド部１１、１２、１３の夫々に少なくとも一つ以上形成される穴１１ａ、１１ｂ、１１ｃ、１２ａ、１２ｂ、１２ｃ、１３ａ、１３ｂ、１３ｃをさらに含むことができる。
【００８７】
図７は図６の遠心分離機２００のカバー２０以外の概略的な斜視図を示すものであり、図８は図７のＢ‐Ｂ'に沿う断面図を示すものである。
【００８８】
図７及び図８を参照すると、本発明の一実施例による遠心分離機２００の第１ガイド部１０の内側にスラリーＳが充填されていることが分かる。
【００８９】
上記穴１１ａ、１１ｂ、１１ｃ、１２ａ、１２ｂ、１２ｃ、１３ａ、１３ｂ、１３ｃが形成されることにより、本発明の一実施例による遠心分離機にスラリーＳが充填される際に、上記第１〜第ｍ遠心分離領域１１０、１２０、１３０、１４０に同一高さのスラリーＳが充填されるようになる。
【００９０】
上記第２ガイド部１１に形成される穴１１ａ、１１ｂ、１１ｃと上記第３ガイド部１２に形成される穴１２ａ、１２ｂ、１２ｃは、図７に示されたようにずれて形成されることができる。
【００９１】
これと同様に、上記第３ガイド部１２に形成される穴１２ａ、１２ｂ、１２ｃと上記第４ガイド部１３に形成される穴１３ａ、１３ｂ、１３ｃは、図７に示されたようにずれて形成されることができる。
【００９２】
すなわち、第ｎ−１ガイド部に形成される穴と第ｎガイド部に形成される穴は、ずれて形成されることができる。
【００９３】
第ｎ−１ガイド部に形成される穴と第ｎガイド部に形成される穴が互いにずれて形成されることで、遠心分離機が動作する際にスラリーＳが穴を介して抜け出ることを最小化することができる。
【００９４】
図９は本発明のさらに他の実施例による遠心分離機３００の概略的な平面図を示すものである。
【００９５】
図９を参照すると、本発明のさらに他の実施例による遠心分離機３００は、上記第１〜第ｎガイド部１０、１１、１２、１３の間に形成される隔壁４１、４２、４３、４４をさらに含むことができる。
【００９６】
具体的には、本発明のさらに他の実施例による遠心分離機３００は、上記第１〜第ｎ遠心分離領域１１０、１２０、１３０、１４０を分離する少なくとも一つ以上の隔壁４１、４２、４３、４４をさらに含むことができる。
【００９７】
上記隔壁４１、４２、４３、４４は、遠心分離機３００が動作する際に遠心分離されるスラリーＳに加えられる遠心力をより高める機能を果たすことができる。
【００９８】
また、上記隔壁４１、４２、４３、４４には、少なくとも一つ以上の穴が形成されていてもよい。
【００９９】
上記穴は、遠心分離機３００にスラリーＳを充填する際に、上記第１〜第ｎ遠心分離領域１１０、１２０、１３０、１４０に同一高さでスラリーＳが充填されるようにすることができる。
【０１００】
以上、本発明の実施形態について詳細に説明したが、本発明の権利範囲はこれに限定されず、特許請求の範囲に記載された本発明の技術的思想から外れない範囲内で多様な修正及び変形が可能であるということは、当技術分野の通常の知識を有する者には明らかである。
【符号の説明】
【０１０１】
１００、２００、３００  遠心分離機
１０  第１ガイド部
１１  第２ガイド部
１２  第３ガイド部
１３  第４ガイド部
２０  カバー
３０  駆動部材
１１ａ、１１ｂ、１１ｃ、１２ａ、１２ｂ、１２ｃ、１３ａ、１３ｂ、１３ｃ  穴
４１、４２、４３、４４  隔壁
【図１】
2015073984.tif 000006
【図２】
2015073984.tif 000007
【図３】
2015073984.tif 000008
【図４】
2015073984.tif 000009
【図５】
2015073984.tif 000010
【図６】
2015073984.tif 000011
【図７】
2015073984.tif 000012
【図８】
2015073984.tif 000013
【図９】
2015073984.tif 000014